(57)【要約】    【課題】  撮影対象や撮影場所を特定することなくハイライトシーンを自動抽出できるようにする。    【解決手段】  映像を撮像する撮像部１０Ａ及び被写体に装着したＲＦＩＤタグのＲＦＩＤを読み取るＲＦＩＤ読取部１０Ｂを備えた撮影装置１０において、撮像された映像及び読み取られたＲＦＩＤを関連付けた映像データをデータ生成部１０Ｃで生成し、その映像データを送信部１０Ｄで送信する。また、編集配信装置２０において、受信部２０Ａでその映像データを受信し、映像ＤＢ２０Ｄに格納する。更に、ハイライトシーン抽出部２０Ｂで、映像ＤＢ２０Ｄの映像データに含まれる映像のうち、その映像と関連付けられたＲＦＩＤに変化があるシーンを特定し、そのシーン及びその前後の映像をハイライトシーンとして抽出し、ハイライトシーンＤＢ２０Ｅに格納する。そして、配信部２０Ｅでからインターネット３０を通してクライアント４０に配信する。【選択図】  図１
2007067518.tif 000002
【特許請求の範囲】
【請求項１】
撮像部とＲＦＩＤ読取部とを備えた撮影装置により、映像を撮像しつつ被写体に装着したＲＦＩＤタグのＲＦＩＤを読み取り、前記映像及び前記ＲＦＩＤを関連付けた映像データを生成する生成手順と、
前記生成手順により生成された前記映像データに含まれる映像から、その映像と関連付けられたＲＦＩＤに変化があるシーンを特定する特定手順と、
前記特定手順により特定されたシーン及びその前後の映像をハイライトシーンとして抽出する抽出手順と、
をコンピュータに実行させることを特徴とするハイライトシーン抽出方法。
【請求項２】
前記生成手順は、
所定時間に亘る前記映像データを順次生成し、
前記特定手順は、
前記生成手順により生成された前記映像データのうち、１つの映像データに含まれるＲＦＩＤと、その映像データに続く他の映像データに含まれるＲＦＩＤと、の間に変化があるとき、前記他の映像データに含まれる映像をＲＦＩＤに変化があるシーンとして特定することを特徴とする請求項１記載のハイライトシーン抽出方法。
【請求項３】
ハイライトシーンの配信要求を受信したとき、前記抽出手順により抽出されたハイライトシーンを配信する配信手順を更にコンピュータに実行させることを特徴とする請求項１又は請求項２に記載のハイライトシーン抽出方法。
【請求項４】
前記抽出手順は、
前記ハイライトシーンとして抽出する映像の時間長を、任意に変更できることを特徴とする請求項１から請求項３のいずれか１つに記載のハイライトシーン抽出方法。
【請求項５】
映像を撮像する撮像部及び被写体に装着したＲＦＩＤタグのＲＦＩＤを読み取るＲＦＩＤ読取部を備えた撮影手段と、
前記撮影手段により撮像された映像及び読み取られたＲＦＩＤを関連付けた映像データを生成する生成手段と、
前記生成手段により生成された前記映像データに含まれる映像のうち、その映像と関連付けられたＲＦＩＤに変化があるシーンを特定する特定手段と、
前記特定手段により特定されたシーン及びその前後の映像をハイライトシーンとして抽出する抽出手段と、
を含んで構成されたことを特徴とするハイライトシーン抽出装置。
【発明の詳細な説明】
【技術分野】
【０００１】
本発明は、撮像した映像からハイライトシーンを自動的に抽出する技術に関する。
【背景技術】
【０００２】
ＴＶやインターネット等を介した映像の配信においては、例えばスポーツの試合の映像などについて試合全てを配信するのではなく、ハイライトシーンのみを配信することが一般的に行われている。従来のハイライトシーン抽出方法は、撮像した映像からハイライトシーンを人手によって抽出するものであった。かかる方法ではハイライトシーンを抽出できるまでに時間がかかり過ぎ、生放送やライブ配信などのリアルタイム配信と平行してそのハイライトシーンを配信することが困難であったことから、ハイライトシーンを自動的に抽出することができる技術が求められていた。特願２００４−１０８８１６号では、野球の試合中におけるハイライトシーンを自動的に抽出する技術として、選手にＲＦＩＤ（Radio Frequency Identification）タグを装着し、塁上に設けた読取装置でそのＲＦＩＤタグのＲＦＩＤを読み取り、それを撮像した映像とともに記録し、選手が進塁した場合に何らかのアクションが発生したと判断し、アクションのあった時から所定時間遡って映像を抽出する技術が提案されている。
【発明の開示】
【発明が解決しようとする課題】
【０００３】
しかしながら、その技術は、撮像場所が野球場であり且つ撮像対象が野球の試合であることを前提としている技術であった。ＴＶやインターネットで配信される映像には多くの撮像対象があるため、野球以外の撮像対象のときでもハイライトシーンを自動抽出できる技術が要望されていた。
そこで、本発明は以上のような従来の問題点に鑑み、映像とその映像の被写体が装着したＲＦＩＤタグのＲＦＩＤとを関連付け、ＲＦＩＤに変化がある映像をハイライトシーンとすることで、ＴＶの視聴者やインターネットを用いた映像配信サービスのユーザの要求に応えたハイライトシーンを、撮像対象や撮像場所を特定することなく自動的に抽出することを目的とする。
【課題を解決するための手段】
【０００４】
このため、本発明においては、撮像部とＲＦＩＤ読取部とを備えた撮影装置により、映像を撮像しつつ被写体に装着したＲＦＩＤタグのＲＦＩＤを読み取り、映像及びＲＦＩＤを関連付けた映像データを生成する。また、生成された映像データに含まれる映像から、その映像と関連付けられたＲＦＩＤに変化があるシーンを特定し、そのシーン及びその前後の映像をハイライトシーンとして抽出する。
【発明の効果】
【０００５】
本発明によれば、撮像された映像及び読み取られたＲＦＩＤを関連付けた映像データを生成することで、映像内の被写体を把握することができる。また、生成された映像データに含まれる映像から、その映像と関連付けられたＲＦＩＤに変化があるシーンを特定し、そのシーン及びその前後の映像をハイライトシーンとすることで、映像内の被写体に変化があったシーン、すなわち、ＴＶの視聴者やインターネットを用いた映像配信サービスのユーザの要求に応えたハイライトシーンを、撮像対象や撮像場所を特定することなく、自動的に抽出できるようになる。
【発明を実施するための最良の形態】
【０００６】
以下、添付された図面を参照して本発明を詳述する。
図１は、本発明を適用したハイライトシーン配信装置の機能概要を示す。なお、本実施例は、マラソンの映像を、インターネットを用いてリアルタイム配信する場合において、ランナーが夫々ＲＦＩＤタグを装着しているものとする。このハイライトシーン配信装置は、撮影手段としての撮影装置１０と、編集配信装置２０と、を含んで構成され、インターネット３０を介して映像の配信先であるクライアント４０と通信可能な状態に接続されている。
【０００７】
撮影装置１０は、１つの筐体からなり、具体的には、撮像部１０Ａと、ＲＦＩＤ読取部１０Ｂと、データ生成部１０Ｃと、送信部１０Ｄと、を含んで構成される。撮像部１０Ａは、ビデオカメラからなり、マラソンランナーの様子を撮像する。ＲＦＩＤ読取部１０Ｂは、ＲＦＩＤ読取装置からなり、被写体のランナーが装着したＲＦＩＤタグのＲＦＩＤを非接触に読み取る。生成手段として機能するデータ生成部１０Ｃは、少なくともＣＰＵ及びメモリを備えたコンピュータなどからなり、撮像部１０Ａにより撮像された映像及びＲＦＩＤ読取部１０Ｂにより読み取られたＲＦＩＤを関連付け、所定時間に亘る映像データを順次生成する。送信部１０Ｄは、通信装置からなり、データ生成部１０Ｃにより生成された映像データを編集配信装置２０に適宜送信する。
【０００８】
編集配信装置２０は、少なくともＣＰＵ、メモリ及び通信装置を備えたコンピュータシステムからなり、受信部２０Ａと、ハイライトシーン抽出部２０Ｂと、配信部２０Ｃと、映像データベース（ＤＢ）２０Ｄと、ハイライトシーンＤＢ２０Ｅと、選手情報ＤＢ２０Ｆと、を含んで構成される。
受信部２０Ａは、撮影装置１０から送信された映像データを受信する。特定手段及び抽出手段として機能するハイライトシーン抽出部２０Ｂは、映像データを解析し、ＲＦＩＤに変化があるシーン及びその前後の映像をハイライトシーンとして抽出する。配信部２０Ｃは、ハイライトシーン抽出部２０Ｂにより抽出されたハイライトシーンを、インターネット３０を通してクライアント４０に配信する。
【０００９】
映像ＤＢ２０Ｄは、受信部２０Ａで受信した映像データを順次格納するものであり、図２に示すように、映像ＩＤと、絶対時間と、相対時間と、長さと、選手ＩＤと、映像と、を含んで構成される。映像ＩＤは映像データを一意に特定する識別子、絶対時間は撮像時刻、相対時間は撮像開始時刻から撮像時刻までの時間、長さは映像の時間長である。選手ＩＤはランナーが装着したＲＦＩＤタグのＲＦＩＤであり、この映像データに含まれる映像を撮像しつつ読み込まれたものである。映像は撮像した映像そのもののデータである。なお、撮影装置１０のデータ生成部１０Ｃにより生成される映像データも同じ構成である。
【００１０】
ハイライトシーンＤＢ２０Ｅは、ハイライトシーン抽出部２０Ｂにより生成されたハイライトシーンデータを格納するものであり、図３に示すように、ハイライトシーンＩＤと、選手ＩＤと、映像ＩＤと、絶対時間と、相対時間と、再生時間と、映像と、を含んで構成される。ハイライトシーンＩＤはハイライトシーンデータを一意に特定する識別子である。選手ＩＤは、ハイライトシーンにおいて変化があったランナーの選手ＩＤである。映像ＩＤ、絶対時間及び相対時間は、夫々ＲＦＩＤに変化がある映像データの映像ＩＤ、絶対時間及び相対時間である。再生時間はハイライトシーンの映像の時間長である。映像は、ハイライトシーンの映像そのもののデータである。
【００１１】
選手情報ＤＢ２０Ｆは、ＲＦＩＤタグを装着したランナーの情報を格納しておくものであり、図４に示すように、選手ＩＤと、名前と、詳細情報と、を含んで構成される。選手ＩＤはランナーが装着するＲＦＩＤタグのＲＦＩＤである。名前は、そのＲＦＩＤタグを装着しているランナーの名前である。詳細情報は、そのランナーの過去のレース出場回数や記録等である。
【００１２】
図５は、撮影装置１０において実行される処理を示す。なお、この処理は所定時間ごとに繰り返し実行される。所定時間とは、映像データの時間長として設定された時間である。
ステップ１（図では「Ｓ１」と略記する。以下同様）では、撮像部１０Ａによりマラソンを撮像しつつ、ＲＦＩＤ読取部１０ＢによりＲＦＩＤタグのＲＦＩＤを読み取る。
【００１３】
ステップ２では、データ生成部１０Ｃにより、撮像部１０Ａにより撮像された映像及びＲＦＩＤ読取部１０Ｂにより読み込まれたＲＦＩＤを関連付け、図２に示す映像データを生成する。なお、ステップ２の処理が生成手段に相当する。
ステップ３では、送信部１０Ｄにより、データ生成部１０Ｃにより生成された映像データを送信する。
【００１４】
かかる撮影装置１０によれば、撮像部１０Ａ及びＲＦＩＤ読取部１０Ｂを備えた撮影装置１０を用いて撮像及びＲＦＩＤの読み取りを行い、撮像された映像と読み込まれたＲＦＩＤとを関連付けることで、その映像に写っているランナーを把握することができる。更に、映像とＲＦＩＤとが関連付けられ、且つ所定時間に亘る映像データを順次生成することにより、後述の処理において映像中のランナーの変化を自動的に認識することができる。
【００１５】
図６は、編集配信装置２０の受信部２０Ａにおいて実行される受信処理の内容を示す。この処理は、映像データを受信したときに実行される。
ステップ１１では、受信した映像データを映像ＤＢ２０Ｄに順次格納する。
図７は、ランナーを特定しないハイライトシーンの配信要求をクライアント４０から受信したときに、編集配信装置２０のハイライトシーン抽出部２０Ｂ及び配信部２０Ｃにより実行される第１の編集配信処理内容を示す。
【００１６】
ステップ２１では、映像ＤＢ２０Ｄに格納された映像データを映像ＩＤごとに順次読み込む。
ステップ２２では、読み込んだ映像ＩＤの映像データに含まれる選手ＩＤと、その直前の映像ＩＤの映像データに含まれる選手ＩＤと、の間に変化があるか否かを判定する。選手ＩＤに変化がある場合にはステップ２３へ進み（Ｙｅｓ）、選手ＩＤに変化がない場合にはステップ２５へ進む（Ｎｏ）。
【００１７】
ステップ２３では、読み込んだ映像データに含まれる映像を変化があった選手ＩＤにつき変化があるシーンとして特定する。なお、ステップ２１からステップ２３までの処理が、特定手段に相当する。
ステップ２４では、特定したシーン及びその前後の映像をハイライトシーンとして抽出し、図３に示すハイライトシーンデータを生成し、ハイライトシーンＤＢ２０Ｅに格納する。なお、ステップ２４の処理が、抽出手段に相当する。
【００１８】
ステップ２５では、映像ＤＢ２０Ｄに格納されている全ての映像データの読み込みが終了したか否かを判定する。全ての映像データの読み込みが終了した場合にはステップ２６へ進み（Ｙｅｓ）、全ての映像データの読み込みが終了していない場合にはステップ２１へ戻る（Ｎｏ）。
ステップ２６では、ハイライトシーンＤＢ２０Ｅに格納したハイライトシーンデータを、インターネット３０を通してクライアント４０に配信する。
【００１９】
かかる編集配信装置２０によれば、連続する映像データの間で、映像データに含まれる選手ＩＤに変化があるとき、変化がある映像データに含まれる映像を選手ＩＤに変化があったシーンとして特定し、そのシーン及びその前後の映像データに含まれる映像をハイライトシーンとして抽出することで、ユーザからランナーを特定しないハイライトシーンに対する配信要求を受信したときに、レース展開に変化がある場面をハイライトシーンとして自動的に抽出し、ユーザに配信することができる。図２及び図３で説明すると、図２に示す映像ＩＤ「００１０３」の映像データと、映像ＩＤ「００１０４」の映像データとの間で、選手ＩＤ「８７９」が変化している。かかる場合には、映像ＩＤ「００１０４」の映像データの映像を、選手ＩＤに変化があったシーンとして特定し、図３に示すハイライトシーンＩＤ「００００１」に相当するハイライトシーンデータを生成する。実際の映像では、例えば複数人のランナーから構成されている先頭集団が映されていた場合、先頭集団から選手ＩＤ「８７９」がいなくなるという変化が生じた、すなわち選手ＩＤ「８７９」のランナーが先頭集団から脱落していった際の映像がハイライトシーンとして抽出される。
【００２０】
図８は、特定ランナーに関するハイライトシーンの配信要求をクライアント４０から受信したときに、編集配信装置２０のハイライトシーン抽出部２０Ｂ及び配信部２０Ｃにより実行される第２の編集配信処理内容を示す。
ステップ３１では、クライアント４０から送信された配信要求に係るランナーの名前などランナーを特定するための情報で選手情報ＤＢ２０Ｆを検索し、そのランナーの選手情報、具体的には、選手ＩＤ、詳細情報を取得する。
【００２１】
ステップ３２では、そのランナーの選手ＩＤを含む映像データを映像ＤＢ２０Ｄから映像ＩＤごとに順次読み込む。
ステップ３３では、読み込んだ映像データの直前又は直後の映像データに、その選手ＩＤが含まれていないかを判定する。直前又は直後の映像データの少なくとも一方にその選手ＩＤが含まれていないとき、ステップ３４に進み（Ｙｅｓ）、どちらにもその選手ＩＤが含まれているときすなわち選手ＩＤに変化がないシーンであるとき、ステップ３６に進む（Ｎｏ）。
【００２２】
ステップ３４では、読み込んだ映像データの直前の映像データにその選手ＩＤが含まれていないときには、読み込んだ映像データに含まれる映像を選手ＩＤに変化があるシーンとして特定する。一方、直後の映像データにその選手ＩＤが含まれていないときには、直後の映像データに含まれる映像を選手ＩＤに変化があるシーンとして特定する。なお、ステップ３２からステップ３４までの処理が、特定手段に相当する。
【００２３】
ステップ３５では、特定したシーン及びその前後の映像をハイライトシーンとして抽出し、図３に示すハイライトシーンデータを生成し、ハイライトシーンＤＢ２０Ｅに格納する。なお、ステップ３５の処理が、抽出手段に相当する。
ステップ３６では、映像ＤＢ２０Ｄに格納されている映像データのうち、そのランナーの選手ＩＤを含む映像データの読み込みが全て終了したか否かを判定する。そのランナーの選手ＩＤを含む映像データの読み込みが全て終了したときにはステップ３７へ進み（Ｙｅｓ）、そのランナーの選手ＩＤを含む映像データの読み込みが全て終了していないときにはステップ３２へ戻る（Ｎｏ）。
【００２４】
ステップ３７では、ハイライトシーンＤＢ２０Ｅに格納したハイライトシーンデータを、インターネット３０を通してクライアント４０に配信する。このとき、ステップ３１で選手情報データベース２０Ｆから取得したランナーの詳細情報も合わせて配信することもできる。
かかる編集配信装置２０によれば、配信要求を受信したランナーの選手ＩＤを取得し、その選手ＩＤを含む映像データを読み込む。更に、読み込んだ映像データの前後でその選手ＩＤに変化があるとき、変化がある映像データに含まれる映像を、その選手ＩＤに変化があったシーンとして特定し、そのシーン及びその前後の映像データに含まれる映像をハイライトシーンとして抽出することで、ユーザから特定ランナーに関するハイライトシーンの配信要求を受信したときに、そのランナーのレース展開に変化がある場面をハイライトシーンとして自動的に抽出し、ユーザに配信することができる。図２、図３及び図４で説明すると、例えば「山田太郎」のハイライトシーンの配信要求を受信した場合、図４に示すように、「山田太郎」の選手ＩＤは「９０」であることがわかる。ここで、図２を参照すると、選手ＩＤ「９０」を含む映像ＩＤ「００１０５」の映像データの直前の映像データである映像ＩＤ「００１０４」には選手ＩＤ「９０」がない。かかる場合には、映像ＩＤが「００１０５」の映像データの映像を、選手ＩＤに変化があったシーンとして特定し、図３に示すハイライトシーンＩＤ「００００２」に相当するハイライトシーンデータを生成する。更に図２を参照すると、選手ＩＤ「９０」を含む映像ＩＤ「００１０６」の映像データの直後の映像データである映像ＩＤ「００１０７」には選手ＩＤ「９０」がない。かかる場合には、映像ＩＤが「００１０７」の映像データの映像を、選手ＩＤに変化があったシーンとして特定し、図３に示すハイライトシーンＩＤ「００００３」に相当するハイライトシーンデータを生成する。実際の映像では、例えば複数人のランナーから構成されている先頭集団が映されていた場合、先頭集団に「山田太郎」選手が追いついた映像がハイライトシーンＩＤ「００００２」として抽出され、また先頭集団から「山田太郎」選手が脱落していった際の映像がハイライトシーンＩＤ「００００３」として抽出される。
【００２５】
なお、かかる第１及び第２の編集配信処理では、ステップ２４又はステップ３５でハイライトシーンを生成するたびに、ハイライトシーンを配信しても良い。そうすれば、ハイライトシーンの抽出処理が全て終了してからハイライトシーンを配信する場合に比べ、配信要求の受信から配信までの時間を短縮することができる。
また、かかる第１及び第２の編集配信処理のうち、ハイライトシーンＤＢ２０Ｅにハイライトシーンデータを格納する処理までを、受信部２０Ａにより映像データが受信されたときなど、クライアント４０からの配信要求を受信するよりも前のタイミングで実行しても良い。このとき、特定のランナーのハイライトシーンについては、例えばハイライトシーンの配信要求が多いと予測される有名選手についてのみこの処理を実行すれば良い。そうすれば、クライアント４０からハイライトシーンの配信要求を受信したときに、ハイライトシーンを抽出する時間を省いて配信することができ、配信要求の受信から配信までの時間を短縮することができる。
【００２６】
更に、１つのハイライトシーンの映像を構成する映像データの数を任意に変更することができるようにしても良い。そうすることで、撮像対象に合った時間長のハイライトシーンを適切に抽出することが可能となる。
なお、本実施例においてデータ生成部１０Ｃは撮影装置１０に含まれているが、編集配信装置２０に含まれていても良い。かかる場合には、撮像部１０Ａにより撮像された映像及びＲＦＩＤ読取部１０Ｂにより読み込まれたＲＦＩＤを送信部１０Ｄにより送信し、それを受信部２０Ａにより受信し、受信された映像及びＲＦＩＤをデータ生成部１０Ｃにより関連付ける。また、撮影部１０ＡとＲＦＩＤ読取部１０Ｂとは、同じ被写体についてのデータを収集できれば、同じ筐体内に格納されている必要はなく、別個の装置であっても鎌わない。
【００２７】
かかるハイライトシーン配信装置により、マラソンのレース展開に変化がある映像をハイライトシーンとして自動的に抽出することができ、インターネットを用いた映像配信サービスのユーザの要求に応えたハイライトシーンを配信することができる。
なお、このハイライトシーン配信装置は、被写体がＲＦＩＤタグを装着していれば、撮像対象や撮像場所に関係なく適用することができる。
【００２８】
（付記１）撮像部とＲＦＩＤ読取部とを備えた撮影装置により、映像を撮像しつつ被写体に装着したＲＦＩＤタグのＲＦＩＤを読み取り、前記映像及び前記ＲＦＩＤを関連付けた映像データを生成する生成手順と、前記生成手順により生成された前記映像データに含まれる映像から、その映像と関連付けられたＲＦＩＤに変化があるシーンを特定する特定手順と、前記特定手順により特定されたシーン及びその前後の映像をハイライトシーンとして抽出する抽出手順と、をコンピュータに実行させることを特徴とするハイライトシーン抽出方法。
【００２９】
（付記２）前記生成手順は、所定時間に亘る前記映像データを順次生成し、前記特定手順は、前記生成手順により生成された前記映像データのうち、１つの映像データに含まれるＲＦＩＤと、その映像データに続く他の映像データに含まれるＲＦＩＤと、の間に変化があるとき、前記他の映像データに含まれる映像をＲＦＩＤに変化があるシーンとして特定することを特徴とする付記１記載のハイライトシーン抽出方法。
【００３０】
（付記３）ハイライトシーンの配信要求を受信したとき、前記抽出手順により抽出されたハイライトシーンを配信する配信手順を更にコンピュータに実行させることを特徴とする付記１又は付記２に記載のハイライトシーン抽出方法。
【００３１】
（付記４）前記抽出手順は、前記ハイライトシーンとして抽出する映像の時間長を、任意に変更できることを特徴とする付記１から付記３のいずれか１つに記載のハイライトシーン抽出方法。
【００３２】
（付記５）前記特定手順は、前記生成手順により生成された前記映像データに含まれる映像から、その映像と関連付けられたＲＦＩＤのうち特定の被写体に係るものに変化があるシーンを特定することを特徴とする付記１から付記４のいずれか１つに記載のハイライトシーン抽出方法。
【００３３】
（付記６）前記特定手順及び前記抽出手順は、ハイライトシーンの配信要求を受信したときに夫々実行されることを特徴とする付記１から付記５のいずれか１つに記載のハイライトシーン抽出方法。
【００３４】
（付記７）前記特定手順及び前記抽出手順は、前記生成手順により映像データが生成されたときに夫々実行されることを特徴とする付記１から付記５のいずれか１つに記載のハイライトシーン抽出方法。
【００３５】
（付記８）映像と、その映像の被写体の識別子と、が関連付けられた映像データを受信し、その識別子に変化がある映像をハイライトシーンとして抽出する手順をコンピュータに実行させることを特徴とするハイライトシーン抽出方法。
【００３６】
（付記９）映像を撮像する撮像部及び被写体に装着したＲＦＩＤタグのＲＦＩＤを読み取るＲＦＩＤ読取部を備えた撮影手段と、前記撮影手段により撮影された映像及び読み取られたＲＦＩＤを関連付けた映像データを生成する生成手段と、前記生成手段により生成された前記映像データに含まれる映像のうち、その映像と関連付けられたＲＦＩＤに変化があるシーンを特定する特定手段と、前記特定手段により特定されたシーン及びその前後の映像をハイライトシーンとして抽出する抽出手段と、を含んで構成されたことを特徴とするハイライトシーン抽出装置。
【図面の簡単な説明】
【００３７】
【図１】本発明を適用したハイライトシーン配信装置の機能概要図
【図２】映像ＤＢのデータ構造図
【図３】ハイライトシーンＤＢのデータ構造図
【図４】選手情報ＤＢのデータ構造図
【図５】撮影装置において実行される処理を示すフローチャート
【図６】編集配信装置の受信部において実行される受信処理を示すフローチャート
【図７】編集配信装置のハイライトシーン抽出部及び配信部において実行される第１の編集配信処理を示すフローチャート
【図８】編集配信装置のハイライトシーン抽出部及び配信部において実行される第２の編集配信処理を示すフローチャート
【符号の説明】
【００３８】
１０    撮影装置
１０Ａ    撮像部
１０Ｂ    ＲＦＩＤ読取部
１０Ｃ    データ生成部
１０Ｄ    送信部
２０    編集配信装置
２０Ａ    受信部
２０Ｂ    ハイライトシーン抽出部
２０Ｃ    配信部
２０Ｄ    映像ＤＢ
２０Ｅ    ハイライトシーンＤＢ
２０Ｆ    選手情報ＤＢ
【図１】
2007067518.tif 000003
【図２】
2007067518.tif 000004
【図３】
2007067518.tif 000005
【図４】
2007067518.tif 000006
【図５】
2007067518.tif 000007
【図６】
2007067518.tif 000008
【図７】
2007067518.tif 000009
【図８】
2007067518.tif 000010